(57)【要約】【課題】ブレード部から一体的に延びるタング部にねじや透孔などを形成する必要がなく、かつキャップを取り外し容易にタング部に取り付けた、分解可能なナイフを提供すること。【解決手段】分解可能なナイフであるダイビング用ナイフ１は、ブレード部５及びタング部６を備えるナイフ本体２と、ハンドル部材３と、ハンドル部材の透孔３ｃを通って後端３ｂから突出したタング部の延出部分８に着脱可能に取り付けた袋状のエンドキャップ４とを有する。タング部６は、挿入部分７と、延出部分８とを有し、ハンドル部材３から後方へ延びる延出部分８には、ナイフ本体２とは別体の連結部材１１が取り付けられている。エンドキャップ４は、この連結部材１１を介してタング部の後端に取り付けられている。【選択図】　　　図２
2004024720.tif 000002
【特許請求の範囲】
【請求項１】
前後方向へ延びるブレード部およびこのブレード部の後端から後方へ延びるタング部を有するナイフ本体と、前記タング部がその後端から抜脱可能に挿入されるハンドル部材と、前記ハンドル部材の後端から後方へ延びる前記タング部の延出部分に取り外し可能に螺着して前記タング部の抜脱を止める袋状のエンドキャップとを含む分解可能なナイフにおいて、
前記タング部は、前記前後方向において前記ハンドル部材を貫通する透孔に回動不能に収まる挿入部分と前記透孔から後方へ延びる前記延出部分とを有し、前記延出部分が前記前後方向へ倒伏した状態のＬ字型を呈しており、
前記延出部分と前記エンドキャップとの間には前記前後方向へ延びる円柱状の連結部材が介在し、前記連結部材には、その内側に前記延出部分の前記Ｌ字型に相似する溝部が形成され、前記連結部材は、この溝部を前記Ｌ字型の前記延出部分に前記前後方向に直交する方向から嵌合させて前記延出部分に取り付けられ、前記連結部材の周面に形成されたねじ部には前記エンドキャップがその内側に形成されたねじ部において螺着していることを特徴とする前記分解可能なナイフ。
【請求項２】
前記ナイフ本体及び前記エンドキャップが金属材料で形成され、かつ前記連結部材がプラスチック材料から形成され、前記ナイフ本体と前記エンドキャップとが直接的に接触することなく前記連結部材を介して接触している請求項１に記載の分解可能なナイフ。
【請求項３】
前記連結部材が前記延出部分に対して着脱可能なものである請求項１または２に記載の分解可能なナイフ。
【発明の詳細な説明】
【０００１】
【発明の属する技術分野】
この発明は、分解可能なナイフに関する。
【０００２】
【従来の技術】
分解可能なナイフの一例として、ダイビング用ナイフを挙げることができる。このダイビング用ナイフでは、ブレード部の後端からタング部が延びており、そのタング部がナイフを握り易くするためのハンドル部材に挿入される場合がある。ハンドル部材の後端から延出するタング部の後端部分には、ハンドル部材をタング部に固定するためのバット・キャップと称する金属製のエンドキャップがねじ止めされている。ダイビング中にこのキャップでエアータンクを叩いて金属音を出すことによって、ダイビング中の仲間とのコミュニケーションをとることができる。
【０００３】
【発明が解決しようとする課題】
丈夫で切れのよいブレード部を製作しようとするときには、高硬度の素材を使用することがある。しかるに、ブレード部とタング部とが一体となっていて、ハンドル部材を取り付けるためにそのタング部にねじや透孔が必要である場合には、高硬度の素材に焼きなまし処理を施してから所要の機械加工によってそれらねじや透孔を形成する。その後に素材に焼入れを施すが、その焼入れによって素材を元の硬度にまで戻すことは難しい。それゆえ、このように焼きなましをしてブレード部を製作することは好ましくない。しかし、高硬度の素材は、ワイヤーカットやレーザーカットによってその硬度を低下させることなく加工することが可能である。それゆえ、従来のナイフにおけるタング部の形状をワイヤーカット等の対象になり得るようにして、高硬度の素材の特性を低下させることなくタング部と一体になったブレード部の製作を可能にすることが望ましい。
【０００４】
また、従来のダイビング用ナイフでは、共に金属で作られたキャップとタング部との間に海水が浸入して例えばタング部が錆びると、タング部からキャップを外せなくなることがある。そのようになると、ハンドル部材をタング部から外すことができなくなり、ダイビング用ナイフのメンテナンスを行うことが困難となる。そのため、たとえタング部が錆びてもキャップをタング部から容易に取り外すことができるようにすることも望ましい。
【０００５】
この発明の目的は、上記のような従来技術の問題点を解決するためになされたもので、ブレード部から一体的に延びるタング部にねじや透孔などを形成する必要がなく、かつキャップを取り外し容易にタング部に取り付けることができる分解可能なナイフを提供することにある。
【０００６】
【課題を解決するための手段】
上記した課題解決のために、この発明が対象とするのは、前後方向へ延びるブレード部およびこのブレード部の後端から後方へ延びるタング部を有するナイフ本体と、前記タング部がその後端から抜脱可能に挿入されるハンドル部材と、前記ハンドル部材の後端から後方へ延びる前記タング部の延出部分に取り外し可能に螺着して前記タング部の抜脱を止める袋状のエンドキャップとを含む分解可能なナイフである。
【０００７】
かかる分解可能なナイフにおいて、この発明が特徴とするところは、前記タング部は、前記前後方向において前記ハンドル部材を貫通する透孔に回動不能に収まる挿入部分と前記透孔から後方へ延びる前記延出部分とを有し、前記延出部分が前記前後方向へ倒伏した状態のＬ字型を呈しており、前記延出部分と前記エンドキャップとの間には前記前後方向へ延びる円柱状の連結部材が介在し、前記連結部材には、その内側に前記延出部分の前記Ｌ字型に相似する溝部が形成され、前記連結部材は、この溝部を前記Ｌ字型の前記延出部分に前記前後方向に直交する方向から嵌合させて前記延出部分に取り付けられ、前記連結部材の周面に形成されたねじ部には前記エンドキャップがその内側に形成されたねじ部において螺着していること、にある。
【０００８】
この発明に係る分解可能なナイフにおける好ましい実施態様のひとつにおいて、前記ナイフ本体及び前記エンドキャップが金属材料で形成され、かつ前記連結部材がプラスチック材料から形成され、前記ナイフ本体と前記エンドキャップとが直接的に接触することなく前記連結部材を介して接触している。
【０００９】
実施態様の他の一つにおいて、前記連結部材が前記延出部分に対して着脱可能なものである。
【００１０】
【発明の実施の形態】
添付の図面を参照し、この発明に係る分解可能なナイフの詳細を説明すると以下のとおりである。
【００１１】
図１，２は、この発明に係る分解可能なナイフの一例であるダイビング用ナイフ１の正面図と、このナイフ１の分解図である。ダイビング用ナイフ１は、前後に長いナイフ本体２と、このナイフ本体２に着脱可能なハンドル部材３と、ナイフ本体２にハンドル部材３を固定するためのエンドキャップ４とを有する。ナイフ本体２は、前方に位置するステンレス製のブレード部５と、ブレード部５から後方へ延びるタング部６とを有する。
【００１２】
タング部６は、ハンドル部材３に挿入される断面形状が矩形の挿入部分７と、ハンドル部材３から後方へ延びる延出部分８とを有し、この延出部分８は、前後方向へ倒伏して横向きになったＬ字型を呈し、ハンドル部材３から後方へ延出している。延出部分８は、挿入部分７の後端７ａから後方へ延びる連結部分９ａと、連結部分９ａの後端側において図２の上方へ延びる突起部分９ｂとから形成され、これら連結部分９ａと突起部分９ｂとにおける図２の上下方向における寸法（高さ寸法）は、いずれも挿入部分７よりも小さい。挿入部分７は、延出部分８を含めて前後方向に直交する方向の断面形状が矩形である。
【００１３】
ハンドル部材３は、前後方向に直交する方向における断面の外形がほぼ楕円形であり（図５を参照）、その前端３ａから後端３ｂへ貫通する断面矩形の透孔３ｃを有し、後端３ｂには凹部３ｄが形成され、凹部３ｄの周縁部には断面の外形が円を成す環状部３ｅが形成されている。透孔３ｃにはタング部６がその後端から抜脱可能に挿入される。タング部６が透孔３ｃへ挿入されると、タング部６の前端に予め嵌められているカラー部材１０がハンドル部材３の前端３ａに当接し、タング部６の延出部分８がハンドル部材３の後端３ｂから延出する。ただし、延出部分８は挿入部分７寄りの一部が凹部３ｄ内に位置している。この透孔３ｃもタング部６の挿入部分７も断面形状が矩形であって、タング部６は透孔３ｃの中で回動することがない。
【００１４】
ハンドル部材３に挿入されたタング部６の延出部分８には、ナイフ本体２とは別体の円柱状をした連結部材１１が着脱自在に取り付けられる。この連結部材１１は、プラスチック材料で作られたもので、その周面には雄ねじ部１１ａが形成されている。
【００１５】
エンドキャップ４は袋状のもので、内周面に雌ねじ部４ａが形成されており、タング部６に取り付けられている連結部材１１にタング部６の後方から螺着され、エンドキャップ４の前端部４ｂがハンドル部材３の環状部３ｅの外周面にほぼ密着し、ハンドル部材３の後端３ｂに対して後方向から当接して、ハンドル部材３がタング部６から抜け出るのを阻止する。エンドキャップ４は、前端部４ｂがハンドル部材３の後端面に当接し、また内周面が連結部材１１に螺着し、内端面４ｃとタング部６との間には連結部材１１が介在しているので、タング部６に対して直接的に接触することはない。
【００１６】
図３，４，５は、図１の部分破断拡大図と、図３のＩＶ−ＩＶ線断面図と、図３のＶ−Ｖ線断面図である。これらの図から明らかなように、連結部材１１は溝部１２を有し、その溝部１２は連結部材１１の周面から径方向内方へ向かう深さと、前端部１１ｂから後方へ延びる長さとを有している。溝部１２は、延出部分８のうちの連結部分９ａが嵌合する深さの浅い第１溝部分１２ａと、第１溝部分１２ａよりも深くて突起部分９ｂが嵌合する第２溝部分１２ｂとから形成され、図２、３に示された状態においてタング部６で横向きＬ字型を呈している延出部分８と相似形になるように作られている。このような溝部１２を有する連結部材１１は、タング部６に対してタング部６の前後方向と直交する方向から離脱可能に嵌合させることができる。
【００１７】
連結部材１１を延出部分８と嵌合させるには、図２において連結部材１１の溝部１２を上方から延出部分８と向かい合わせ、前端部１１ａを斜め下方へ向けながらハンドル部材３の凹部３ｄ内に入れるとともに、連結部材１１をタング部６の延出部分８に被せればよい。そのようにすると、連結部材１１の第１溝部分１２ａには、タング部６における連結部分９ａを嵌合させ、第２溝部分１２ｂには突起部分９ｂを嵌合させることができる。
【００１８】
タング部６の延出部分８を形成している突起部分９ｂは、図２，３に例示されるように、幅が上部で狭くなるように前面９ｃが傾斜している。突起部分９ｂがこのようであると、連結部材１１を延出部分８に嵌合させるときの操作が容易となる。連結部材１１を延出部分８に嵌合させると、図４，５から明らかなように、連結部材１１の第２溝部分１２ｂに断面矩形の突起部分９ｂが進入するので、連結部材１１は延出部分８に対して回転することもなければ前後方向へ移動することもない。
【００１９】
このダイビング用ナイフ１では、タング部６が断面矩形であって前後方向へ直線的に延びており、横向きＬ字型、即ち鉤型を呈する延出部分８は、図２において挿入部分７を形成している材料を後方へ僅かに延長しておき、その延長した部分において上下方向の幅が小さくなるように、材料を幅方向の外側から切り取ることで形成できる。好ましい延出部分８の外形は、図示例のように実質的には直線だけの組合せで作られる。このような形状の挿入部分７および延出部分８は、所要厚さを有する高硬度の材料をワイヤーカットやレーザーカット加工によって製作することを容易にする。このようなナイフ１では、高硬度の材料を一度焼きなましてから機械加工にかけて形状を作り、その後に焼入れするという手順が不要で、高硬度の材料から直接的にその形状を作ることが可能である。
【００２０】
また、このダイビング用ナイフ１では、タング部６やエンドキャップ４が錆の発生する金属で形成されたとしても、エンドキャップ４が、プラスチック製の連結部材１１を介してタング部６に取り付けられるので、エンドキャップ４とタング部６とは直接的に接触することがなく、たとえエンドキャップ４やタング部６が錆びても、ナイフ１が分解できなくなるということはない。それゆえ、ダイビング用ナイフ１は、そのメンテナンスを確実に行うことができる。なお、連結部材１１は、プラスチックで作る他に、錆の発生し難い非腐食性の材料で作ることもできる。ダイビング用ナイフ１はこのように構成されるものであるから、これをダイビング以外で使用することも可能である。
【００２１】
【発明の効果】
この発明に係る分解可能なナイフによれば、ブレード部の後端から後方へ延びるタング部の延出部分に横向きＬ字型を呈する延出部分を形成して、この延出部分に切削加工や孔あけ加工を施さずに別体のプラスチック製連結部材を取り付け、この連結部材を介してエンドキャップをタング部に取り付けるようにしたから、分解可能なナイフを高硬度の素材から製作することが容易であり、またエンドキャップが錆などにより取り外せなくなることもなく、分解可能なナイフのメンテナンスを確実に行うことができる。
【図面の簡単な説明】
【図１】ダイビング用ナイフを示す正面図である。
【図２】ダイビング用ナイフを分解図である。
【図３】ダイビング用ナイフのハンドル部材における後部を部分的に示す断面図である。
【図４】図３のＩＶ−ＩＶ線で切断してハンドル部材の後端でのエンドキャップの取り付け状態を示す部分的な断面図である
【図５】図３のＶ−Ｖ線で切断して示すハンドル部材の後部の断面図である。
【符号の説明】
１　ダイビング用ナイフ（分解可能なナイフ）
２　ナイフ本体
３　ハンドル部材
３ａ　前端
３ｂ　後端
３ｃ　透孔
３ｄ　凹部
４　エンドキャップ
４ａ　雌ねじ部
５　ブレード部
６　タング部
７　挿入部
７ａ　挿入部の後端
８　延出部分
９ａ　連結部分
９ｂ　突起部分
１０　カラー部材
１１　連結部材
１１ａ　雄ねじ部
１１ｂ　前端部
１２　溝部
【図１】
2004024720.tif 000003
【図２】
2004024720.tif 000004
【図３】
2004024720.tif 000005
【図４】
2004024720.tif 000006
【図５】
2004024720.tif 000007